(57)【特許請求の範囲】
【請求項１】
一方側端部が温室に固定される開閉シートと、この開閉シートの他方側端部に固定されて上記開閉シートを巻き取り、巻き戻す巻き上げ軸と、上記開閉シートの横側に上記巻き上げ軸の移動方向に沿って配置されるガイド柱と、上記巻き上げ軸を回転駆動する駆動機と、この駆動機を上記ガイド柱に沿って移動させる移動部材とを備え、
上記駆動機は、上記巻き上げ軸の端部に連なる駆動軸と、この駆動軸を介して上記巻き上げ軸を回転させる駆動機本体とを備えている開閉装置において、
上記駆動軸とともに回転する軸受けを備え、
上記移動部材は、上記駆動軸と相対回転可能であるとともに上記ガイド柱の外周面に当接するスリップローラと、上記ガイド柱の反スリップローラ側の外周面に当接する一または複数の従動ローラとを備え、
上記スリップローラは、筒状に形成されて内側に上記軸受けが挿入されるとともに、上記軸受けの外周面に摺接していることを特徴とする開閉装置。
【請求項２】
上記スリップローラは、上記駆動軸の回転中心線上に回転中心を有することを特徴とする請求項１に記載の開閉装置。
【請求項３】
上記スリップローラと上記従動ローラがそれぞれ軸方向に移動することが可能であり、  上記スリップローラの両端部が上記スリップローラの中央部よりも大径に形成されるとともに、上記従動ローラの両端部が上記従動ローラの中央部よりも大径に形成されている
ことを特徴とする請求項１から請求項２の何れか一項に記載の開閉装置。
【請求項４】
上記移動部材は、上記駆動機本体に連結されるハウジングと、このハウジングに固定されて上記従動ローラの軸心部を貫通する一または複数本の支持軸とを備え、この支持軸の外周面に上記従動ローラが摺接していることを特徴とする請求項１から請求項３の何れか一項に記載の開閉装置。
【請求項５】
上記移動部材は上記従動ローラを二つ備えており、上記移動部材が上記ガイド柱に取り付けられたとき、一方の上記従動ローラ、上記スリップローラ、他方の上記従動ローラの順に上記ガイド柱の軸方向に沿って配置されていることを特徴とする請求項１から請求項４の何れか一項に記載の開閉装置。
【請求項６】
上記移動部材は、上記各従動ローラに対応する二本の支持軸を備えており、上記ハウジングは、上記両支持軸の一方側端部が並んで連結される第一支持片と、この第一支持片に対向して起立するとともに一方の上記支持軸の他方側端部が連結される第二支持片と、同じく上記第一支持片に対向して起立するとともに他方の上記支持軸の他方側端部が連結される第三支持片とを備えており、
一方の上記従動ローラが上記第一支持片と上記第二支持片との間に配置され、他方の上記従動ローラが上記第一支持片と上記第三支持片との間に配置されていることを特徴とする請求項５に記載の開閉装置。
【請求項７】
上記駆動軸と上記巻き上げ軸とを連結する連結部材を備え、上記軸受けが上記連結部材に取り付けられていることを特徴とする請求項１から請求項６の何れか一項に記載の開閉装置。
【発明の詳細な説明】
【技術分野】
【０００１】
この発明は、開閉装置の改良に関する。
【背景技術】
【０００２】
一般的に、開閉装置は、野菜、果樹、園芸用植物等（以下、植物等という。）を栽培するための温室に利用されている。
【０００３】
例えば、特許文献１に開示の開閉装置は、上記温室の側面に沿って形成された開口を開閉し、温室の換気を行う換気装置である。図７に示すように、上記開閉装置Ａ１は、上端部が温室Ｈに固定されて上記開口（図示せず）を開閉する開閉シート１と、この開閉シート１の下端部に固定されて上記開閉シート１を巻き取り、巻き戻す巻き上げ軸（図示せず）と、上記開閉シート１の横側に起立するガイド柱３００と、上記巻き上げ軸を回転駆動する駆動機（符示せず）と、この駆動機をガイド柱３００に沿って昇降させる移動部材（符示せず）とを備えている。
【０００４】
そして、上記駆動機は、上記図示しない巻き上げ軸の端部に連なって固定される駆動軸４００と、モータやハンドル等を保持して上記駆動軸４００を介して巻き上げ軸を回転駆動する駆動機本体４０１とを備えている。
【０００５】
また、上記移動部材は、上記駆動軸４００の外周に取り付けられて駆動軸４００とともに回転し上記ガイド柱３の外周面に当接する駆動ローラ５００と、駆動機本体４０１に連結される図示しないハウジングと、このハウジングに回転可能に保持されて上記ガイド柱３００の反駆動ローラ側の外周面に当接する従動ローラ５０１，５０１とを備え、駆動ローラ５００と従動ローラ５０１，５０１とでガイド柱３００を挟んでいる。
【０００６】
そして、図７（ａ）に示すように、上記駆動機本体４０１で上記駆動軸４００を正転させると上記駆動ローラ５００及び上記巻き上げ軸が駆動軸４００と同方向に回転する。また、下側の従動ローラ５０１が駆動ローラ５００との間にガイド柱３００を挟みながら、駆動ローラ５００と逆方向に回転するため、駆動機がガイド柱３００に沿って上昇するとともに、巻き上げ軸に開閉シート１が巻き取られて温室Ｈの開口を開くことができる。
【０００７】
また、図７（ｂ）に示すように、上記駆動機本体４０１で駆動軸４００を逆転させると上記駆動ローラ５００及び上記巻き上げ軸が駆動軸４００と同方向に回転する。また、下側の従動ローラ５０１が駆動ローラ５００との間にガイド柱３００を挟みながら、駆動ローラ５００と逆方向に回転するため、駆動機がガイド柱３００に沿って下降するとともに、巻き上げ軸から開閉シート１が巻き戻されて温室Ｈの開口を開閉シート１で閉じることができる。
【先行技術文献】
【特許文献】
【０００８】
【特許文献１】特開平１０−２７１９１７号公報
【発明の概要】
【発明が解決しようとする課題】
【０００９】
ここで、上記従来の開閉装置Ａ１において、駆動軸４００を一定速度で回転したとき、駆動機がガイド柱３００に沿って移動する速度は、上記駆動ローラ５００の外径に依存しており一定であるが、巻き上げ軸が開閉シート１を巻き取り、巻き戻しながら移動する速度は、一定ではなく、巻き上げ軸に巻き取られている開閉シート１が多くなるほど速くなり、少なくなるほど遅くなる。このため、開閉シート１の巻き取り量に応じて駆動機と巻き上げ軸の速度がずれる。
【００１０】
そして、温室の開口を開く開工程の初期では、開閉シート１の巻き取り量が少ないことから、駆動機が巻き上げ軸に対して先行しようとするが、従来の開閉装置Ａ１においては、ガイド柱３００が略直立しガイド柱３００の傾斜角度が略９０度となっているため、駆動機や巻き上げ軸、この巻き上げ軸に巻き取られた開閉シート１の重みが駆動機を下降させる方向にかかる。このため、移動部材がガイド柱３００上を滑り、駆動機とともに下降して駆動機が巻き上げ軸に対して先行することを抑制し、駆動機と巻き上げ軸の移動速度を略同じにすることができる。
【００１１】
しかしながら、ガイド柱３００の傾斜角度が９０度よりも小さくなり、傾斜角度が地面と水平に近くなるほど、駆動機や巻き上げ軸の重みが駆動機を下降させる方向にかかり難くなる。このため、特にガイド柱３００の傾斜角度が２０度よりも小さくなるような場合には、移動部材がガイド柱３００上を滑らず、駆動機が巻き上げ軸に対して先行することを抑制できない。また、駆動ローラ５００の外径を小さくした場合には、巻き上げ軸が先行してしまう。
【００１２】
つまり、従来の開閉装置Ａ１において、ガイド柱３００の傾斜角度が小さくなると、駆動機と巻き上げ軸の移動速度を合わせることができないため、駆動機と巻き上げ軸との軸方向の位置がずれて、巻き上げ軸が変形したり、駆動軸４００と巻き上げ軸との連結部や駆動機や移動部材に負荷がかかったりする虞がある。
【００１３】
そこで、本発明の目的は、ガイド柱の傾斜角度が２０度よりも小さくなるような場合においても、駆動機を巻き上げ軸の移動速度に合わせて移動させることが可能な開閉装置を提供することである。
【課題を解決するための手段】
【００１４】
上記課題を解決するための手段は、一方側端部が温室に固定される開閉シートと、この開閉シートの他方側端部に固定されて上記開閉シートを巻き取り、巻き戻す巻き上げ軸と、上記開閉シートの横側に上記巻き上げ軸の移動方向に沿って配置されるガイド柱と、上記巻き上げ軸を回転駆動する駆動機と、この駆動機を上記ガイド柱に沿って移動させる移動部材とを備え、
上記駆動機は、上記巻き上げ軸の端部に連なる駆動軸と、この駆動軸を介して上記巻き上げ軸を回転させる駆動機本体とを備えている開閉装置において、
上記駆動軸とともに回転する軸受けを備え、
上記移動部材は、上記駆動軸と相対回転可能であるとともに上記ガイド柱の外周面に当接するスリップローラと、上記ガイド柱の反スリップローラ側の外周面に当接する一または複数の従動ローラとを備え、
上記スリップローラは、筒状に形成されて内側に上記軸受けが挿入されるとともに、上記軸受けの外周面に摺接していることである。
【発明の効果】
【００１５】
本発明によれば、ガイド柱の傾斜角度が２０度よりも小さくなるような場合においても、駆動機を巻き上げ軸の移動速度に合わせて移動させることができる。
【図面の簡単な説明】
【００１６】
【図１】本発明の一実施の形態に係る開閉装置を温室に取り付けた状態を示した斜視図である。
【図２】本発明の一実施の形態に係る開閉装置の駆動機、移動部材、連結部材及び軸受けを示した分解斜視図である。
【図３】本発明の一実施の形態に係る開閉装置の連結部材及び軸受けを拡大して示した分解斜視図である。
【図４】本発明の一実施の形態に係る開閉装置の移動部材のハウジング部分を拡大して示した図であり、（ａ）は斜視図、（ｂ）は平面図、（ｃ）は正面図である。
【図５】本発明の一実施の形態に係る開閉装置の主要部を示した説明図であり、（ａ）は開工程を示し、（ｂ）は閉工程を示す。
【図６】本発明の一実施の形態に係る開閉装置を部分的に示し、正面側からみた説明図である。
【図７】従来の開閉装置の主要部を示した説明図であり、（ａ）は開工程を示し、（ｂ）は閉工程を示す。
【発明を実施するための形態】
【００１７】
以下に本発明の一実施の形態に係る開閉装置について、図面を参照しながら説明する。いくつかの図面を通して付された同じ符号は、同じ部品か対応する部品を示す。
【００１８】
図１に示すように、本実施の形態に係る開閉装置Ａは、一方側端部１ａが温室Ｈに固定される開閉シート１と、この開閉シート１の他方側端部に固定されて上記開閉シート１を巻き取り、巻き戻す巻き上げ軸２と、上記開閉シート１の横側に上記巻き上げ軸２の移動方向に沿って配置されるガイド柱３と、上記巻き上げ軸２を回転駆動する駆動機４と、この駆動機４を上記ガイド柱３に沿って移動させる移動部材５とを備えている。
【００１９】
そして、図２に示すように、上記駆動機４は、上記巻き上げ軸の端部に連なる駆動軸４０と、この駆動軸４０を介して上記巻き上げ軸２を回転させる駆動機本体４１とを備えている。また、上記移動部材５は、上記駆動軸４０の回転中心線上に回転中心を有し上記駆動軸４０と相対回転可能であるとともに上記ガイド柱３の外周面に当接するスリップローラ５０と、上記ガイド柱３の反スリップローラ側の外周面に当接する二つの従動ローラ５１，５１とを備えている。
【００２０】
以下、詳細に説明すると、図１に示すように、本実施の形態に係る開閉装置Ａが設けられる温室Ｈは、複数のアーチ状パイプＰ１が列設されてなる骨組と、この骨組に展張されるビニールシートＳとを備えて略蒲鉾型に形成されている。さらに、上記温室Ｈの内側には、温室Ｈの屋根側に内張りパイプＰ２が温室Ｈの短手方向に傾斜して架設され、長手方向に沿って複数並べて設けられている。
【００２１】
そして、本実施の形態の開閉装置Ａは、必要に応じて内張りパイプＰ２に開閉シート１を展張して温室Ｈ内を上下に仕切るために利用されており、開閉シート１で温室Ｈ内を上下に仕切ると、開閉シート１の下側に形成される植物等の育成スペースの容積を小さくして暖房効率を上げたり、開閉シート１の上側に空気層を形成して断熱性を高めたりすることができる。また、温室Ｈ外の気温が高い場合には、開閉シート１を巻き上げ軸２に巻き取って収容し、放熱性を高めることができる。
【００２２】
つづいて、上記開閉シート１は、一方側端部１ａが温室Ｈの長手方向に沿って固定されるとともに、他方側が内張りパイプＰ２の傾斜に沿って下方側に配置され、他方側端部には巻き上げ軸２が固定されている。つまり、この巻き上げ軸２も、温室Ｈの長手方向に沿って配置されている。また、巻き上げ軸２は、内張りパイプＰ２の上側に交差して配置されている。このため、巻き上げ軸２が内張りパイプＰ２で下支えされるとともに、内張りパイプＰ２上を軸方向に沿って転がりながら移動して、開閉シート１を巻き取り、巻き戻すことができる。
【００２３】
つづいて、上記開閉シート１の横側に配置され上記巻き上げ軸２の移動方向に沿って配置されるガイド柱３は、内張りパイプＰ２と平行に配置されており、地面に対して６〜１５度傾斜し、傾斜角度が２０度よりも小さく設定されている。また、本実施の形態においては、内張りパイプＰ２と別にガイド柱３を設けているが、複数ある内張りパイプＰ２のうちの一本をガイド柱３として利用するとしてもよい。
【００２４】
また、上記巻き上げ軸２を回転駆動する駆動機４は、図２に示すように、駆動軸４０と、この駆動軸４０を回転させる駆動機本体４１とを備えている。そして、上記駆動機本体４１は、駆動軸４０を任意に回転することが可能である限りにおいて種々の構成を採用することが可能であるが、本実施の形態においては、通電時に上記駆動軸４０を回転駆動するモータを保持している。尚、図示しないが上記駆動機本体４１がハンドルを保持し、手動で上記ハンドルを回転することにより上記駆動軸４０を回転駆動するとしてもよい。
【００２５】
また、上記駆動軸４０は、巻き上げ軸２の端部に連結部材６を介して連なっている。この連結部材６は、図３に示すように、内側に上記駆動軸４０が挿入される筒状の駆動軸保持部６０と、この駆動軸保持部６０の一方側に同軸に連なるとともに内側に上記巻き上げ軸２の駆動機側端部が挿入される筒状の巻き上げ軸保持部６１とを備えている。
【００２６】
また、上記連結部材６において、上記ガイド柱３に対向する駆動軸保持部６０の外周には、環状のフランジ部６２が軸方向に並んで二つ形成されるとともに、一対の挟持片７０，７０からなる軸受け７が取り付けられている。そして、上記各挟持片７０，７０は、筒状部材が縦に割られた形状となっており、軸受け７は、各挟持片７０，７０が駆動軸保持部６０の外周に取り付けられたとき筒状となる（図２）。また、軸受け７は、上記フランジ部６２，６２で軸方向の位置決めをされている。
【００２７】
さらに、駆動軸保持部６０及び巻き上げ軸保持部６１には、駆動軸保持部６０及び巻き上げ軸保持部６１の肉厚を貫通するとともに、直径方向に対向して配置される一対の孔６０ａ，６１ａ（対となる一方の孔６０ａ，６１ａのみを図示し、他方の孔を図示せず。）がそれぞれ形成されている。また、上記挟持片７０，７０にも、各挟持片７０，７０の肉厚を貫通する孔７０ａがそれぞれ形成されている。
【００２８】
したがって、駆動軸保持部６０内に駆動軸４０（図２）を挿入した状態で、一方の挟持片７０から他方の挟持片７０に、駆動軸保持部６０の対となる孔６０ａ（対となる一方の孔６０ａのみを図示し他方の孔を図示せず。）や，挟持片７の７０ａ，７０ａを介して駆動軸固定用のボルトＢ１を貫通させ、その先端にナットＮ１を螺合することにより、連結部材６に駆動軸４０及び軸受け７を固定することができる。
【００２９】
さらに、巻き上げ軸保持部６１内に巻き上げ軸２の駆動機側端部を挿入した状態で、巻き上げ軸保持部６１の対となる孔６１ａ（対となる一方の孔６１ａのみを図示して他方の孔を図示せず。）にそれぞれボルト（図示せず）を螺合することにより、駆動軸４０及び軸受け７が固定された連結部材６に巻き上げ軸２を固定することができる。このため、駆動軸４０と巻き上げ軸２は、連結部材６を介して同軸に連結されており、駆動機４は、駆動軸４０を介して巻き上げ軸２を回転駆動することができる。
【００３０】
もどって、図２に示すように、上記駆動機４をガイド柱３に沿って移動させる移動部材５は、上記したように、駆動軸４０の回転中心線上に回転中心を有し上記駆動軸４０と相対回転可能であるとともにガイド柱３の外周面に当接するスリップローラ５０と、ガイド柱３の反スリップローラ側の外周面に当接する二つの従動ローラ５１，５１とを備えている。
【００３１】
そして、本実施の形態において、スリップローラ５０は、筒状に形成されて内側に上記軸受け７が挿入されており、上記軸受け７の外周面に摺接している。このため、スリップローラ５０は、軸受け７に軸支されて回転し、スリップローラ４０の回転中心が駆動軸４０の回転中心線上となるとともに、駆動軸４０と相対回転可能となる。また、スリップローラ５０は、軸受け７の軸方向に沿って移動することができる。さらに、本実施の形態において、上記スリップローラ４０の外周は、両端部５０ａ、５０ｂの外径が中央部（符示せず）よりも大きくなるように設定されている。
【００３２】
また、本実施の形態において、移動部材５は、図４（ｂ）に示すように、駆動機本体４１に連結されるハウジング５２と、このハウジング５２に固定されて上記従動ローラ５１の軸心部を貫通する二本の支持軸５３ａ，５３ｂとを備え、各支持軸５３ａ，５３ｂの外周面に上記各従動ローラ５１がそれぞれ摺接し、回転可能となっている。
【００３３】
そして、上記ハウジング５２は、上記両支持軸５３ａ，５３ｂの一方側端部が並んで連結される第一支持片５２ａと、この第一支持片５２ａに対向して起立するとともに一方の支持軸５３ａの他方側端部が連結される第二支持片５２ｂと、同じく上記第一支持片５２ａに対向して起立するとともに他方の支持軸５３ｂの他方側端部が連結される第三支持片５２ｃと、上記第二支持片５２ｂと第三支持片５２ｃとを繋ぐとともに駆動機側固定用のボルトＢ２及びナットＮ２を介して駆動機本体４１に連結される連結部５２ｄとを備えている。
【００３４】
また、上記ハウジング５２は、第一支持片５２ａと、第二支持片５２ｂ及び第三支持片５２ｃとを連結するとともに、第一支持片５２ａと第二支持片５２ｂの間隔及び第一支持片５２ａと第三支持片５２ｃの間隔を所定に維持するため、第一支持片５２ａと第二支持片５２ｂとの間及び第一支持片５２ａと第三支持片５２ｃとの間に、連結軸５４を上記支持軸５３ａ，５３ｂの下側にそれぞれ架設している（図４（ａ））。
【００３５】
そして、本実施の形態において、上記支持軸５３ａ，５３ｂ及び連結軸５４，５４は、共通の構成を備えており、第一支持片５２ａと第二支持片５２ｂとの間若しくは第一支持片５２ａと第三支持片５２ｃとの間に配置される筒状のスペーサＷ１及びワッシャＷ２と、第二支持片５２ｂ若しくは第三支持片５２ｃの外側からスペーサＷ１及びワッシャＷ２の軸心部を通り、第一支持片５２ａの外側に貫通するボルトＢ３と、このボルトＢ３の先端部に螺合するナットＮ３とを備えている（図４（ｃ））。
【００３６】
つづいて、上記二つの従動ローラ５１，５１は、上記各支持軸５３ａ，５３ｂを構成するスペーサ（符示せず）の外周面に摺接して回転可能となっており、上記スペーサよりも軸方向長さが短く形成されているため、スペーサの軸方向に沿って移動することが可能である。また、二つの従動ローラ５１，５１の外周は、中央部が括れて両端部５１ａ，５１ｂにかけて拡径されており、鼓状に形成されている。
【００３７】
さらに、移動部材５は、ガイド柱３に取り付けられたとき、図５に示すように、ガイド柱３の軸方向に沿って従動ローラ５１、スリップローラ５０、従動ローラ５１の順に配置されるように設定されており、スリップローラ５０及び二つの従動ローラ５１，５１の回転中心が略平行に配置され、ガイド柱３の軸心線に対してほぼ垂直に交差している。そして、上記スリップローラ５０と上側（図５中左側）に位置する従動ローラ５１とでガイド柱３を挟んでいる。尚、図５中には、駆動機本体４１を省略し、駆動機本体側からみた開閉装置Ａを示している。
【００３８】
次に、本実施の形態に係る開閉装置の作用効果について説明する。本実施の形態においては、移動部材５の回転中心線上に回転中心を有し上記駆動軸４０と相対回転可能であるとともに上記ガイド柱３の外周面に当接するスリップローラ５０と、上記ガイド柱３の反スリップローラ側の外周面に当接する二つの従動ローラ５１，５１とを備えている。
【００３９】
このため、駆動機４で巻き上げ軸２を正転（図５（ａ）中矢印ｒ１方向に回転）させ開閉シート１を収容する開工程において、巻き上げ軸２が開閉シート１を巻き取りながら図５中左側に移動すると、巻き上げ軸２に連結される駆動機４及び移動部材５が巻き上げ軸２によって引き上げられる。
【００４０】
このとき、スリップローラ５０とガイド柱３との間に働く摩擦力や、軸受け７とスリップローラ５０との間に働く摩擦力により、スリップローラ５０が駆動軸４０と同方向（図５（ａ）中矢印ｒ１方向）に回転するとともに、上側（図５中（ａ）中左側）の従動ローラ５１とガイド柱３との間に働く摩擦力により上側の従動ローラ５１がスリップローラ５０と逆方向に回転して、駆動機４がガイド柱３に沿って上昇することができる。
【００４１】
また、軸受け７とスリップローラ５０との間に働く摩擦力により、駆動軸４０とともにスリップローラ５０が回転して巻き上げ軸２に先行しようとする場合には、駆動機４、巻き上げ軸２及び巻き上げ軸２に巻き取られている開閉シート１の重みがスリップローラ５０にかかり、スリップローラ５０が図５中矢印ｒ２方向に回転しようとする。このため、駆動軸４０及び軸受け７がスリップローラ５０内で回転し、スリップローラ５０が駆動軸４０とともに回転しないため、駆動機４が巻き上げ軸２に先行することを抑制することができる。
【００４２】
他方、駆動機４で巻き上げ軸２を逆転（図５（ｂ）中矢印ｒ３方向に回転）させ開閉シート１を展張する閉工程において、巻き上げ軸２が開閉シート１を巻き戻すと、巻き上げ軸２、駆動機４及び移動部材５が自重で図５中右側に移動するとともに、開閉シート１が展張される。
【００４３】
このとき、スリップローラ５０とガイド柱３との間に働く摩擦力や、軸受け７とスリップローラ５０との間に働く摩擦力により、スリップローラ５０が駆動軸４０と同方向（図５（ｂ）中矢印ｒ４方向）に回転するとともに、上側（図５（ｂ）中左側）の従動ローラ５１とガイド柱３との間に働く摩擦力により上側の従動ローラ５１がスリップローラ５０と逆方向に回転して、駆動機４がガイド柱３に沿って下降することができる。
【００４４】
また、軸受け７とスリップローラ５０との間に働く摩擦力により、スリップローラ５０が駆動軸４０とともに回転して、駆動機４が巻き上げ軸２よりも先行しようとしても、駆動機４及び移動部材５の移動が連結部材６や巻き上げ軸２を介して開閉シート１で阻止されるため、スリップローラ５０が図５中矢印ｒ４方向に回転しない。このため、駆動軸４０及び軸受け７がスリップローラ５０内で回転し、スリップローラ５０が駆動軸４０とともに回転しないため、駆動機４が巻き上げ軸２に先行することを抑制することができる。
【００４５】
つまり、ガイド柱３の傾斜角度が６〜１５度に設定され、２０度よりも小さい場合においても、駆動機４が巻き上げ軸２に先行しようとすると、スリップローラ５０と駆動軸４０が相対回転し、駆動機４の移動が抑制されるため、本実施の形態の開閉装置Ａは、駆動機４を巻き上げ軸２の移動速度に合わせて移動させることが可能となる。
【００４６】
また、駆動機４と巻き上げ軸２の移動速度を合わせることが可能となることから、従来のように、巻き上げ軸２の変形や、連結部材６、駆動機４及び移動部材５に負荷がかかることを抑制することができ、開閉装置Ａの耐久性を従来よりも向上させることが可能となる。
【００４７】
また、本実施の形態の開閉装置Ａは、駆動軸４０とともに回転する軸受け７を備えており、スリップローラ５０は、筒状に形成されて内側に上記軸受け７が挿入され、上記軸受け７の外周面に摺接している。
【００４８】
このため、スリップローラ５０と駆動軸４０が相対回転可能となる。また、スリップローラ５０と軸受け７との間に働く摩擦力により、スリップローラ５０と駆動軸４０との相対回転がある程度抑制されるため、展張されている開閉シート１（開閉シート１において、巻き上げ軸２に巻き取られていない部分）や、開閉シート１と温室Ｈとの連結部にかかる負荷を軽減することが可能となる。
【００４９】
また、本実施の形態においては、スリップローラ５０と従動ローラ５１，５１がそれぞれ軸方向に移動することが可能であり、スリップローラ５０の両端部５０ａ，５０ｂがスリップローラ５０の中央部（符示せず）よりも大径に形成されるとともに、従動ローラ５１，５１の両端部５１ａ，５１ｂが従動ローラ５１，５１の中央部（符示せず）よりも大径に形成されている。
【００５０】
このため、ガイド柱３が多少歪んでいたとしても、図６に示すように、ガイド柱３の歪みに追従してスリップローラ５０及び従動ローラ５１，５１が軸方向（図６中左右方向）に移動することができ、移動部材５で駆動機４をガイド柱３に沿って安定的に移動させることが可能となる。
【００５１】
また、本実施の形態においては、移動部材５が駆動機本体４１に連結されるハウジング５２と、このハウジング５２に固定されて上記従動ローラ５１，５１の軸心部を貫通する支持軸５３ａ，５３ｂとを備え、支持軸５３ａ，５３ｂの外周面に従動ローラ５１，５１が摺接している。このため、従動ローラ５１を回転可能で、軸方向に移動可能とすることが容易に可能となる。
【００５２】
また、本実施の形態においては、上記従動ローラ５１が二つ設けられ、一方の従動ローラ５１、スリップローラ５０、他方の従動ローラ５１の順にガイド柱３の軸方向に沿って配置されている。このため、上側（図５中左側）に位置する従動ローラ５１とスリップローラ５０とでガイド柱３を挟み、移動部材５がガイド柱３に沿って円滑に移動することが可能となる。また、本実施の形態と逆方向に傾斜したガイド柱（図示せず）に移動部材５を取り付けた場合には、上記実施の形態において下側（図５中右側）に位置する従動ローラ５１が上側に位置するため、この従動ローラ５１とスリップローラ５０とでガイド柱３を挟むことが可能となる。したがって、移動部材５を傾斜方向の異なるガイド柱３に対応させることが容易に可能となる。
【００５３】
また、本実施の形態において、移動部材５は、上記各従動ローラ５１，５１に対応する二本の支持軸５３ａ，５３ｂを備えており、上記ハウジング５２は、上記両支持軸５１ａ，５１ｂの一方側端部が並んで連結される第一支持片５２ａと、この第一支持片５２ａに対向して起立するとともに一方の支持軸５３ａの他方側端部が連結される第二支持片５２ｂと、同じく上記第一支持片５２ａに対向して起立するとともに他方の支持軸５３ｂの他方側端部が連結される第三支持片５３ｃとを備えており、一方の上記従動ローラ５１が上記第一支持片５２ａと第二支持片５２ｂとの間に配置され、他方の上記従動ローラ５１が上記第一支持片５２ａと第三支持片５３ｂとの間に配置されている。
【００５４】
このため、上記各従動ローラ５１，５１の軸方向の移動をハウジング５２で規制することができる。また、従動ローラ５１，５１とスリップローラ５０は、ガイド柱３を挟みながら同時に軸方向に移動するため、従動ローラ５１，５１の軸方向の移動を規制することで、スリップローラ５０の軸方向の移動を同時に規制することができる。
【００５５】
また、本実施の形態においては、上記軸受け７が駆動軸４０と巻き上げ軸２とを連結する連結部材６の外周に取り付けられている。このため、駆動軸４０に連結部材６及び軸受け７を固定した後に、反駆動機側からスリップローラ５０を取り付け、連結部材６に巻き上げ軸２を固定すればよく、スリップローラ５０の取り付けが容易である。
【００５６】
以上、本発明の好ましい実施の形態を詳細に説明したが、特許請求の範囲から逸脱することなく改造、変形及び変更を行うことができることは理解すべきである。
【００５７】
例えば、上記実施の形態において、本発明に係る開閉装置Ａが温室Ｈ内を上下に仕切るために利用されているが、他の場所に利用されていてもよく、例えば、温室Ａの屋根面に形成される換気用の開口を開閉シート１で開閉するとしてもよい。
【００５８】
また、上記実施の形態において、駆動軸４０の外周に駆動軸４０と相対回転可能にスリップローラ５０が取り付けられているが、この限りではなく、スリップローラ５０の回転中心が駆動軸４０の回転中心線上にあり、スリップローラ５０が駆動軸４０と相対回転可能であるとともにガイド柱３の外周面に当接していればよい。例えば、巻き上げ軸２がガイド柱３と対向している場合には、スリップローラ５０が巻き上げ軸２の外周に取り付けられていてもよい。
【００５９】
また、上記実施の形態において、スリップローラ５０は、軸受け７及び連結部材６を介して駆動軸４０に取り付けられているが、連結部材６自体が軸受けを兼ね、連結部材６の外周に直接スリップローラ５０が摺接していてもよい。また、駆動軸４０自体が軸受けを兼ね、駆動軸４０の外周に直接スリップローラ５０が摺接していてもよい。
【００６０】
また、スリップローラ５０の形状は、上記の限りではなく、適宜変更することが可能である。
【００６１】
また、上記実施の形態において、従動ローラ５１，５１は、二つ設けられ、ハウジング５２に取り付けられているが、この限りではなく、従動ローラの形状や数量、取り付け方法は適宜変更することが可能である。
【００６２】
また、上記軸受け７とガイドローラ５０との間に働く摩擦力も、ガイド柱３の傾斜角度や、開閉シート１、巻き上げ軸２、駆動機４及び移動部材５の重さ等により、適宜設定することが可能であり、駆動機４が巻き上げ軸２に先行しようとする若しくはある程度先行したとき、駆動軸４０とガイドローラ５０の相対回転が可能であればよい。
【符号の説明】
【００６３】
Ａ，Ａ１  開閉装置
Ｈ  温室
Ｐ１  アーチ状パイプ
Ｐ２  内張りパイプ
１  開閉シート
２  巻き上げ軸
３  ガイド柱
４  駆動機
５  移動部材
６  連結部材
７  軸受け
４０  駆動軸
４１  駆動機本体
５０  スリップローラ
５１  従動ローラ
５２  ハウジング
５２ａ  第一支持片
５２ｂ  第二支持片
５２ｃ  第三支持片
５２ｄ  連結部
５３ａ，５３ｂ  支持軸
５４  連結軸
６０  駆動軸保持部
６１  巻き上げ軸保持部
７０  挟持片
【図１】
0005921948.tif 000002
【図２】
0005921948.tif 000003
【図３】
0005921948.tif 000004
【図４】
0005921948.tif 000005
【図５】
0005921948.tif 000006
【図６】
0005921948.tif 000007
【図７】
0005921948.tif 000008